(57)【要約】【課題】 ベッドサイド端末から看護師が処置記録等の入力を可能とし、更に患者や看護師に通知すべき事項が発生したら、ベッドサイド端末にその情報を表示可能とすることで、ベッドサイド端末の利便性の向上を図ったナースコールシステムを提供する。【解決手段】  患者に各種情報を提供するために設けたベッドサイド端末５から、看護師がベッド上の患者に対する処置記録の入力を可能とし、ベッドサイド端末５から入力された処置記録がナースコールサーバ９に送信されて看護記録を更新させると共に、制御機４がベッドサイド端末５に関連付けられている携帯端末６に処置事項であるメッセージを送信する。また、携帯端末６から任意のベッドサイド端末５に送信されたメッセージが、選択されたベッドサイド端末５に表示される。【選択図】  図１
2014097116.tif 000002
【特許請求の範囲】
【請求項１】
ベッド毎に設置されて患者が看護師を呼び出すためのナースコール子機と、ナースステーションに設置されて患者からの呼び出しに応答するためのナースコール親機と、看護師が携行して患者からの呼び出しに応答するための携帯端末と、機器間の通信を制御する制御機とを有し、更に患者に各種情報を提供するための表示部及び表示を操作する操作部を有するベッドサイド端末をベッド毎に配置して成るナースコールシステムにおいて、
前記ベッドサイド端末は、看護師がベッド上の患者に対する処置記録の入力を行う看護情報入力部を備え、
前記制御機は、前記ベッドサイド端末から入力された処置記録をベッドサイド端末に関連付けられている携帯端末に送信する通信制御部を有することを特徴とするナースコールシステム。
【請求項２】
看護記録を蓄積する看護情報記憶部を有し、
前記制御機は、前記ベッドサイド端末から処置記録が入力されたら、前記看護情報記憶部の処置した患者に関する看護記録を更新する看護情報制御部を有することを特徴とする請求項１記載のナースコールシステム。
【請求項３】
前記携帯端末から任意の前記ベッドサイド端末に対してメッセージを送信することが可能であり、
前記ベッドサイド端末は、受信した前記メッセージを前記表示部に表示する表示制御部を有することを特徴とする請求項１又は２記載のナースコールシステム。
【請求項４】
前記携帯端末は、前記ベッドサイド端末に対して送信するメッセージを、更に患者に対するメッセージと看護師に対するメッセージとの何れであるか判別可能に送信でき、
前記ベッドサイド端末の表示制御部は、前記携帯端末から送信されたメッセージが看護師に対するメッセージであることを認識すると、所定の操作を受けた場合に前記表示部にメッセージを表示させることを特徴とする請求項３記載のナースコールシステム。
【請求項５】
前記制御部は、看護師と携帯端末との関連づけを記憶する携帯端末／看護師対応テーブル記憶部を有すると共に、
前記携帯端末から看護師ＩＤ情報が送信されたら、送信された看護師ＩＤと送信元の携帯端末ＩＤとを関連づけて前記携帯端末／看護師対応テーブル記憶部に記憶させて更新するテーブル更新制御部を有することを特徴とする請求項１乃至４の何れかに記載のナースコールシステム。
【発明の詳細な説明】
【技術分野】
【０００１】
本発明は、ナースコールシステムに関し、特に入院中の患者に対して各種情報を提供するベッドサイド端末を備えたナースコールシステムに関する。
【背景技術】
【０００２】
ナースコールシステムは、ベッド毎に設置されて患者が看護師を呼ぶためのナースコール子機と、ナースステーションに設置されて患者からの呼び出しに看護師が応答するためのナースコール親機とを備えている。このようなナースコールシステムにおいて、患者に対して快適な入院生活の手助けを目的に、テレビの視聴やインターネットの閲覧を始め、患者自身の治療に関する情報や院内情報等各種情報を提供するベッドサイド情報端末（ベッドサイド端末）をナースコール子機と対を成すようにベッド毎に設置した構成が提案されている（例えば、非特許文献１参照）。
【先行技術文献】
【非特許文献】
【０００３】
【非特許文献１】株式会社コンテック  「ベッドサイド情報端末」、［平成２４年１０月２９日検索］、インターネット  ＜ＵＲＬ：ｈｔｔｐ：／／ｗｗｗ．ｃｏｎｔｅｃ．ｃｏ．ｊｐ／ｓｏｌｕｔｉｏｎ／ｍｅｄｉｃａｌ／ｂｅｄｓｉｄｅ．ｈｔｍｌ＞
【発明の概要】
【発明が解決しようとする課題】
【０００４】
上述したように、ベッドサイド端末は患者が使用するために設置されるもので、表示される情報はナースコール親機から入力された情報であったり、別途設けられているオーダリングシステムで入力された電子カルテ情報等であった。
しかし、ベッドサイド端末を看護師も利用できるよう例えば患者の処置記録の入力等に利用できれば、看護師は処置した場所で直ぐに看護記録を入力できるため、ナースステーションに戻って記録する必要が無くなるし、記録忘れも防止でき好ましい。また、患者の看護に関連する新規情報、特に目の前の患者の看護に関する新しい情報をベッドサイド端末に表示させて看護師が処置する度に確認できるよう構成すれば、看護に関する新しい情報を看護師間で共有する作業を無くすことができ好ましい。
【０００５】
そこで、本発明はこのような問題点に鑑み、ベッドサイド端末から看護師が処置記録等の入力を可能とし、更に患者や看護師に通知すべき事項が発生したら、ベッドサイド端末にその情報を表示可能とすることで、ベッドサイド端末の利便性の向上を図ったナースコールシステムを提供することをを目的としている。
【課題を解決するための手段】
【０００６】
上記課題を解決する為に、請求項１の発明は、ベッド毎に設置されて患者が看護師を呼び出すためのナースコール子機と、ナースステーションに設置されて患者からの呼び出しに応答するためのナースコール親機と、看護師が携行して患者からの呼び出しに応答するための携帯端末と、機器間の通信を制御する制御機とを有し、更に患者に各種情報を提供するための表示部及び表示を操作する操作部を有するベッドサイド端末をベッド毎に配置して成るナースコールシステムにおいて、ベッドサイド端末は、看護師がベッド上の患者に対する処置記録の入力を行う看護情報入力部を備え、制御機は、ベッドサイド端末から入力された処置記録をベッドサイド端末に関連付けられている携帯端末に送信する通信制御部を有することを特徴とする。
この構成によれば、処置した場所で看護記録を入力できるため、ナースステーションに戻って看護記録を作成すること必要がなくなり看護師の負担を軽減できる。また、担当看護師に処置した記録が通知されるため、後から処置を確認できるし、担当ではない看護師が処置した場合であっても担当看護師は処置内容を把握できる。
【０００７】
請求項２の発明は、請求項１に記載の構成において、看護記録を蓄積する看護情報記憶部を有し、制御機は、ベッドサイド端末から処置記録が入力されたら、看護情報記憶部の処置した患者に関する看護記録を更新する看護情報制御部を有することを特徴とする。
この構成によれば、ベッドサイド端末から入力された処置記録により看護情報記憶部の情報が更新されるため、別途登録作業が必要ない。
【０００８】
請求項３の発明は、請求項１又は２に記載の構成において、携帯端末から任意のベッドサイド端末に対してメッセージを送信することが可能であり、ベッドサイド端末は受信したメッセージを表示部に表示する表示制御部を有することを特徴とする。
この構成によれば、特定或いは一部の患者に通知すべき事項、或いは特定或いは一部の患者を処置する看護師に通知すべき事項が新たに発生しても、携帯端末から関連するベッドサイド端末にメッセージを送信することで新たな事項等を通知できる。よって、患者の元まで出かけて通知する必要がなくなり、看護師の負担を軽減できる。
【０００９】
請求項４の発明は、請求項３に記載の構成において、携帯端末は、ベッドサイド端末に対して送信するメッセージを、更に患者に対するメッセージと看護師に対するメッセージとの何れであるか判別可能に送信でき、ベッドサイド端末の表示制御部は、携帯端末から送信されたメッセージが看護師に対するメッセージであることを認識すると、所定の操作を受けた場合に表示部にメッセージを表示させることを特徴とする。
この構成によれば、患者を処置する看護師に通知すべき新たな事項を受信したベッドサイド端末は、所定の操作を受けないと表示されないため、患者が見るようなことがなく、患者に不安を与えるようなことがない。そして、看護師が所定の表示操作を行うことで、ベッドサイド端末に新たな事項がある場合は表示されるので、看護師はそれを認識できる。
よって、看護師間で新たな事項を確認し合う必要が無いし、担当看護師でなくとも新たな事項を認識してスムーズに対処できる。
【００１０】
請求項５の発明は、請求項１乃至４の何れかに記載の構成において、制御部は、看護師と携帯端末との関連づけを記憶する携帯端末／看護師対応テーブル記憶部を有すると共に、携帯端末から看護師ＩＤ情報が送信されたら、送信された看護師ＩＤと送信元の携帯端末ＩＤとを関連づけて携帯端末／看護師対応テーブル記憶部に記憶させて更新するテーブル更新制御部を有することを特徴とする。
この構成によれば、看護師が携行する携帯端末から自身のＩＤを入力するだけで、看護師と携帯端末との対応テーブルが更新されるため、看護師チームが交代する度に看護師と携帯端末との対応テーブルを別途作成したり書き換える作業が必要がなく、看護師の負担を軽減できる。
【発明の効果】
【００１１】
本発明によれば、処置した場所で看護記録を入力できるため、ナースステーションに戻って看護記録を作成する必要がなくなり看護師の負担を軽減できる。また、担当看護師に処置した記録が通知されるため、後から処置を確認できるし、担当ではない看護師が処置した場合であっても担当看護師は処置内容を把握できる。
更に、携帯端末から任意のベッドサイド端末に対してメッセージを送信することを可能とすれば、特定或いは一部の患者に通知すべき事項、或いは特定或いは一部の患者を処置する看護師に通知すべき事項が新たに発生しても、携帯端末から関連するベッドサイド端末にメッセージを送信することで新たな事項等を通知できる。よって、患者の元まで出かけて通知する必要がなくなり、看護師の負担を軽減できる。
【図面の簡単な説明】
【００１２】
【図１】本発明に係るナースコールシステムの一例を示す構成図である。
【図２】制御機の回路ブロック図である。
【図３】ベッドサイド端末の回路ブロック図である。
【発明を実施するための形態】
【００１３】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は各病室の出入口に設置されて患者名表示部２ａと患者からの呼出発生を報知する表示灯２ｂとを備えた廊下灯、３はナースステーションに設置されて患者からの呼び出しを報知し、患者と通話するためのナースコール親機、４は機器間の通信を制御する制御機、５はベッド毎に設置されて患者に対して各種情報を提供するためのベッドサイド端末、６は看護師が携行して患者からの呼び出しに応答するためのスマートフォン等の携帯端末、７は基地局８を介して携帯端末６の通信を管理する交換機、９は患者情報や看護履歴を記憶するナースコールサーバ、１０は医師が作成するカルテ（電子カルテ）や患者の処方等が作成されるオーダリングシステムである。
【００１４】
廊下灯２、ナースコール親機３、制御機４、ベッドサイド端末５、ナースコールサーバ９、オーダリングシステム１０等はそれぞれＨＵＢ１１を介してＬＡＮ接続され、ナースコール子機１は病室毎に廊下灯２に伝送線Ｌ１を介して接続され、交換機７は伝送線Ｌ２を介して制御機４に接続されている。
【００１５】
ナースコール子機１は、呼出ボタン１ａと壁面に設置されたプレート子機１ｂを有し、プレート子機１ｂは呼出ボタン１ａの接続部及び患者が看護師と通話するための通話部を備えている。また、ナースコールサーバ９は、看護記録を蓄積する看護情報記憶部９ａを備えている。
【００１６】
図２は制御機４の回路ブロック図を示している。図２に示すように、制御機４は、携帯端末６に看護師を関連付けた携帯端末／看護師対応テーブル記憶部４１、看護師に患者を関連付けた看護師／患者対応テーブル記憶部４２、ベッドと患者との関連付けやベッドサイド端末５とベッド番号の関連付け等を記憶する情報記憶部４３、ナースコール子機１とナースコール親機３との間の通信やナースコール子機１と携帯端末６との間の通信等機器間の通信を制御し、更に制御機４を制御する制御機ＣＰＵ４４、ナースコール親機３や廊下灯２とＬＡＮ通信するための通信インターフェース（通信ＩＦ）４５等を備えている。
【００１７】
図３はベッドサイド端末５の回路ブロック図を示している。図３に示すように、ベッドサイド端末５は、各種情報を表示するモニタ５１、モニタ５１にテレビ等の映像や画像を表示するための映像処理部５２、表示操作や処置情報の入力を行うためのタッチパネル５３、表示画面や各種設定情報を記憶する表示情報記憶部５４、ベッドサイド端末５全体を制御するベッドサイド端末ＣＰＵ５５、制御機４やナースコール親機３とＬＡＮ通信するための通信インターフェース（通信ＩＦ）５６等を備えている。
【００１８】
上記の如く構成されたナースコールシステムの動作は、以下のようである。但し、ナースコール子機１から呼出操作してナースコール親機３から、或いは携帯端末６から応答する動作は従来と同様であるため説明を省略し、ここではベッドサイド端末５の動作、特に処置記録の入力、及び新規事項の表示に関して説明する。
本発明では、ベッドサイド端末５を使用して看護師による処置記録の入力が実施できるし、携帯端末６から新規事項を入力してベッドサイド端末５に表示させることができる。
【００１９】
ベッドサイド端末５は、基本動作としてオーダリングシステム１０において作成された電子カルテの情報や診察結果、服薬情報、更には食事のメニューや娯楽情報をタッチパネル５３を操作することで閲覧可能となっている。但し、ベッドサイド端末５はベッド番号に関連付けられており（患者に関連付けられており）、ナースコールサーバ９に蓄積されている電子カルテや診察結果等を閲覧する場合は、操作する患者に関する情報以外を閲覧することはできないようナースコールサーバ９が制御している。
【００２０】
最初に、処置記録を入力して看護履歴を更新する流れを説明する。例えば、点滴が終了した場合を例にとると、看護師により処置記録として「点滴が終了しました」と入力されると、入力された情報が看護履歴としてナースコールサーバ９に蓄積される一方、関係付けられている携帯端末６に「点滴が終了しました」がメール送信される。
【００２１】
以下、具体的に説明する。まずベッドサイド端末５は、患者が操作して患者に対して様々な情報を表示する患者操作モード状態にあるため、看護師が使用する際には処置等のデータを入力することができる看護師操作モードに状態を変更する。この操作は、例えば看護師ＩＤをタッチパネルから入力することで変更される。その後は、タッチパネル５３を操作して所定の入力操作を行い、「点滴が終了しました」を入力する。入力が完了すると、ベッドサイド端末ＣＰＵ５５の制御により、メッセージから成る処置記録が制御機４に送信される。尚、看護師操作モード状態は、所定の時間が経過したら患者操作モードへ移行する。
【００２２】
この処置記録を受信した制御機４は、制御機ＣＰＵ４４の制御により受信した情報が特定の患者に対する処置記録であることを認識して、合わせて送信されたベッドサイド端末５のＩＤ情報を基に、ベッドサイド端末５に関連付けられている患者情報を情報記憶部４３から読み取り患者を特定する。そして、特定した患者情報と合わせて処置記録をナースコールサーバ９に送信する。
この処置記録を受信したナースコールサーバ９は、看護情報記憶部９ａに記憶されている看護記録を受信した処置記録を追加して更新する。この結果、ベッドサイド端末５から入力された患者の処置記録は、ナースコールサーバ９に記録されている看護記録に追加記録され、看護記録が一元管理される。
【００２３】
また制御機４は、ベッドサイド端末５から受信した情報が処置記録であると認識し、患者の担当看護師に処置記録「点滴が終了しました」をメール送信する。具体的に、制御機ＣＰＵ４４が処置記録に含まれるベッドサイド端末ＩＤ情報から処置した患者の担当看護師を特定し、特定した看護師が携行する携帯端末６にメール送信する。この文書データである処置記録は、交換機７、基地局８を介して携帯端末６に送信される。
【００２４】
このように、処置した場所で処置記録を入力できるため、ナースステーションに戻って記録を作成する必要がなくなり看護師の負担を軽減できる。また、担当看護師に処置記録が通知されるため、後から処置履歴を確認できるし、担当ではない看護師が処置した場合であっても担当看護師は処置内容を確実に把握できる。
また、ベッドサイド端末５から入力された処置記録によりナースコールサーバ９の看護情報記憶部９ａが更新されるため、別途登録作業が必要ない。
【００２５】
尚、ベッドサイド端末５から処置記録を入力する場合は、ベッドサイド端末５のモード変更の際に看護師のＩＤが入力されることで、新たに看護師ＩＤを入力することなく看護履歴には誰が処置したか合わせて記録することができる。
【００２６】
次に、患者に対して或いは看護師に対して新たな連絡事項が発生した場合に、携帯端末６を使用してメッセージをベッドサイド端末５に表示させる流れを説明する。ここでは、患者を処置する看護師に対して新たな事項が発生した場合を説明する。
携帯端末６からベッドサイド端末５に対してメッセージを送信する場合、看護師宛か患者宛てか最初に選択操作が実施される。この選択は、何れかを選択する選択画面が表示されて看護師宛を選択することで実施される。尚、選択画面はソフトウェアをインストールすることで実施され、例えば看護師宛てのメッセージには所定のヘッダーは付与される。
そして、例えば送信先の患者名を選択（入力）して作成したメッセージを送信操作することで、選択した患者に関連付けられているベッドサイド端末５に看護師宛である情報が添付されたメッセージが送信される。
【００２７】
尚、選択する患者名の情報は、看護師が携行する携帯端末６の後述する登録操作を行った時点で、制御機４から担当する患者一覧（患者と通話するための呼出テーブル）が送信され、この情報を基に表示される。また、ベッドサイド端末５の選択は、病室番号及びベッド番号を入力して実施しても良い。
【００２８】
ここで、看護師と携帯端末６の対応付け操作を説明する。看護師はチーム毎に交代勤務するため、携行する携帯端末６は交代する毎に個々の看護師により登録操作される。この登録作業は、携帯端末６を携行する看護師が所定の操作で登録モードとし、自身のＩＤを携帯端末６に入力することで実施される。入力された看護師のＩＤ情報は、基地局８、交換機７を介して制御機４に送信され、制御機ＣＰＵ４４が、携帯端末／看護師対応テーブル記憶部４１の書き換え実施し、テーブルが更新される。
【００２９】
この結果、患者を選択して特定された送信先に、例えば「この患者は絶食です」のメッセージを作成して送信されると、基地局８、交換機７を介して制御機４がこのメッセージを受信する。メッセージを受信した制御機ＣＰＵ４４は、記憶している各テーブルを参照してメッセージ送信先の患者に関連付けられているベッドサイド端末５を特定し、そのベッドサイド端末５に対して受信したメッセージを送信する。
メッセージを受信したベッドサイド端末５は、ベッドサイド端末ＣＰＵ５５の制御により、メッセージの例えばヘッダー情報から看護師宛であることを判別し、看護師操作モードへの移行操作を受けたらメッセージをモニタ５１に表示する。
【００３０】
このように、患者を処置する看護師に通知すべき新たな事項を受信した場合は、看護師はベッドサイド端末を見ることで新たな事項を認識できる。しかも、看護師宛のメッセージは看護師操作モードに移行させる所定の操作を必要とするため、患者が見るようなことがなく、患者に不安を与えるようなことがない。
よって、看護師間で新たな事項を確認し合う必要が無いし、担当看護師でなくとも新たな事項を認識してスムーズに対処できる。
また、新たな事項の入力は携帯端末６から実施できるため、患者の元まで出かけて或いはナースステーションに戻って入力する必要がなく、看護師の負担を軽減できる。
更に、看護師が携行する携帯端末６から自身のＩＤを入力するだけで、看護師と携帯端末６との対応テーブルが更新されるため、看護師チームが交代する度に看護師と携帯端末６との対応テーブルを作成したり書き換える作業が必要なく、看護師の負担を軽減できる。
【００３１】
一方、患者に対して連絡事項（検診時間の変更等）が発生した場合は、携帯端末６の最初の選択操作で患者宛を選択し、更に送信先の患者を選択して作成したメッセージを送信すれば良い。送信されたメッセージは、看護師宛のメッセージと同様に制御機４を介して送信先の患者に関連付けられているベッドサイド端末５に送信される。メッセージを受信したベッドサイド端末５は、ベッドサイド端末ＣＰＵ５５がメッセージに添付されている情報から患者宛であることを認識して、患者操作モード状態にあればモニタ５１にメッセージを表示する。
【００３２】
こうして、特定或いは一部の患者に通知すべき事項が新たに発生しても、携帯端末６から関連するベッドサイド端末５にメッセージを送信することで新たな事項等を患者に通知できる。よって、患者の元まで出かけて通知する必要がなくなり、看護師の負担を軽減できる。
【００３３】
尚、患者宛てのメッセージは、患者本人に限定せず、例えば食事を担当する配膳者に対する伝言を患者宛のメッセージを使用して表示させても良い。例えば、配膳担当者に対して食事制限情報等を表示させることで、食事に関しても配膳間違いを防止できる。また、患者に対するメッセージはナースコール親機３からも入力しても良い（詳述せず）。
また、上記実施形態では、ベッドサイド端末５から処置記録の入力ができる流れを説明したが、その逆即ちナースコールサーバ９から患者の看護履歴の一覧を読み取ってベッドサイド端末５に表示させることも容易に実施できる。看護師操作モードで表示可能とすれば、患者のプライバシーを保護できるし、ベッドサイド端末５に看護履歴を表示させることで、例えば患者の家族に看護履歴を提示することも容易であり、情報の開示やサービスの向上に役立てることができる。
【符号の説明】
【００３４】
１・・ナースコール子機、２・・廊下灯、３・・ナースコール親機、４・・制御機、５・・ベッドサイド端末、６・・携帯端末、９・・ナースコールサーバ、９ａ・・看護情報記憶部、４１・・携帯端末／看護師対応テーブル記憶部、４２・・看護師／患者対応テーブル記憶部、４４・・制御機ＣＰＵ（通信制御部、看護情報制御部、テーブル更新制御部）、５１・・モニタ（表示部）、５３・・タッチパネル（操作部、患者情報入力部）、５４・・表示情報記憶部、５５・・ベッドサイド端末ＣＰＵ（表示制御部）。
【図１】
2014097116.tif 000003
【図２】
2014097116.tif 000004
【図３】
2014097116.tif 000005